(57)【特許請求の範囲】
【請求項１】
負荷が接続される一対の第１の端子と、前記第１の端子に並列に接続される複数のバッテリと、前記バッテリを充電する充電器とを有する電力供給システムにおいて、
前記バッテリの入力側及び出力側の回路には、前記充電器を接続するための充電専用の一対の第２の端子が設けられ、
前記複数のバッテリからの回路を共通に接続する第３の端子が設けられ、
前記充電器から前記第２の端子に流れる電流と、前記第２の端子から前記負荷に流れる電流との差分電流に応じて前記バッテリから放電又は前記バッテリに充電され、
電圧が高い前記バッテリ側からだけ前記負荷側に放電され、他方の前記バッテリと電圧が同一になった時、双方の前記バッテリから同時に放電される手段が設けられ、
前記充電器は複数の前記バッテリを共通で充電する共通充電器であり、
一方の前記バッテリが充電中に、他方の前記バッテリを増設した場合、他方の前記バッテリから一方の前記バッテリへ前記第３の端子を介しての電流の流れ込みを防止するための第１の電流流れ込み防止手段と、他方の前記バッテリから一方のバッテリへ前記第２の端子を介しての電流の流れ込みを防止するための第２の電流流れ込み防止手段とが設けられている、
ことを特徴とする電力供給システム。
【請求項２】
負荷が接続される一対の第１の端子と、前記第１の端子に並列に接続される複数のバッテリと、前記バッテリを充電する充電器とを有する電力供給システムにおいて、
前記バッテリの入力側及び出力側の回路には、前記充電器を接続するための充電専用の一対の第２の端子が設けられ、
前記複数のバッテリからの回路を共通に接続する第３の端子が設けられ、
前記充電器から前記第２の端子に流れる電流と、前記第２の端子から前記負荷に流れる電流との差分電流に応じて前記バッテリから放電又は前記バッテリに充電され、
電圧が低い前記バッテリ側にだけ充電され、他方の前記バッテリと電圧が同一になった時、双方の前記バッテリに同時に充電される手段が設けられ、
前記充電器は複数の前記バッテリを共通で充電する共通充電器であり、
一方の前記バッテリが充電中に、他方の前記バッテリを増設した場合、他方の前記バッテリから一方の前記バッテリへ前記第３の端子を介しての電流の流れ込みを防止するための第１の電流流れ込み防止手段と、他方の前記バッテリから一方のバッテリへ前記第２の端子を介しての電流の流れ込みを防止するための第２の電流流れ込み防止手段とが設けられている、
ことを特徴とする電力供給システム。
【請求項３】
負荷が接続される一対の第１の端子と、前記第１の端子に並列に接続される複数のバッテリと、前記バッテリを充電する充電器とを有する電力供給システムにおいて、
前記バッテリの入力側及び出力側の回路には、前記充電器を接続するための充電専用の一対の第２の端子が設けられ、
前記複数のバッテリからの回路を共通に接続する第３の端子が設けられ、
前記充電器から前記第２の端子に流れる電流と、前記第２の端子から前記負荷に流れる電流との差分電流に応じて前記バッテリから放電又は前記バッテリに充電され、
電圧が高い前記バッテリ側からだけ前記負荷側に放電され、他方の前記バッテリと電圧が同一になった時、双方の前記バッテリから同時に放電される手段が設けられ、
電圧が低い前記バッテリ側にだけ充電され、他方の前記バッテリと電圧が同一になった時、双方の前記バッテリに同時に充電される手段が設けられ、
前記充電器は複数の前記バッテリを共通で充電する共通充電器であり、
一方の前記バッテリが充電中に、他方の前記バッテリを増設した場合、他方の前記バッテリから一方の前記バッテリへ前記第３の端子を介しての電流の流れ込みを防止するための第１の電流流れ込み防止手段と、他方の前記バッテリから一方のバッテリへ前記第２の端子を介しての電流の流れ込みを防止するための第２の電流流れ込み防止手段とが設けられている、
ことを特徴とする電力供給システム。
【発明の詳細な説明】
【技術分野】
【０００１】
本発明は電力供給システムに関し、特に、複数のバッテリを並列接続して所定の負荷に電力供給するための電力供給システムに関する。
【背景技術】
【０００２】
一般に、各種電気機器や電動機等の負荷に電力を供給する電力供給システムでは、当該負荷の用途に応じて柔軟に対応でき、かつ負荷を長時間使用できるようにすることが望まれており、例えば複数のバッテリを並列接続して負荷に電力供給する電力供給システムが提案されている。
【０００３】
図４は従来の電力供給システムの一例を示すブロック図である。
図４に示すように、従来の電力供給システムＳ３は、一対の端子Ｔ５（＋），Ｔ５（−）と、端子Ｔ５（＋），Ｔ５（−）に並列に接続される複数のバッテリ５０（５０ａ、５０ｂ）と、各バッテリ５０に流れる電流の導通又は遮断を切り換える電流開閉部５１と、各バッテリ５０に流れる電流を検出する電流検出部５２と、各バッテリ５０のセル電圧等の情報や電流検出部５２からの情報に基づいて電流開閉部５１を制御する制御部５３とを有する。
【０００４】
並列の複数のバッテリ５０からの回路を共通に接続する一対の端子Ｔ６（＋），Ｔ６（−）が設けられ、端子Ｔ６（＋）は端子Ｔ５（＋）に、Ｔ６（−）はＴ５（−）にそれぞれ接続されている。
なお、５４はバッテリ５０の内部抵抗である。
【０００５】
従来の電力供給システムＳ３によれば、端子Ｔ５（＋），Ｔ５（−）に負荷を接続した場合には、各バッテリ５０から電流が放電され、負荷に電力供給される。その際、各バッテリ５０の残容量に基づいて放電される電流量が決定される。
【０００６】
端子Ｔ５（＋），Ｔ５（−）に充電器を接続した場合には、各バッテリ５０に電流が充電される。その際、各バッテリ５０の残容量に基づいて充電される電流量が決定される（以下、この技術を従来例１という）。
【０００７】
また、例えば特許文献１には、二次電池を備え、並列に設けられて所定の負荷に並列または選択的に電力を供給する複数のバッテリユニットにより構成され、各バッテリユニットは、負荷が接続される出力端子と二次電池との間に介挿されたスイッチ素子と、出力端子に接続された負荷に印加されている電圧Ｖｏｕｔを判定する負荷状態判定手段と、二次電池の電池電圧Ｖｂａｔと負荷の印加電圧Ｖｏｕｔとを比較する電圧比較器と、負荷に電圧Ｖｏｕｔが印加されていないとき、または電池電圧Ｖｂａｔと負荷の印加電圧Ｖｏｕｔとの差［Ｖｏｕｔ−Ｖｂａｔ］が小さいときにだけスイッチ素子を導通動作させるスイッチ制御回路とを備えた二次電池装置が提案されている。
【０００８】
この二次電池装置によれば、並列に設けられて所定の負荷に電力を供給する複数の二次電池（バッテリユニット）を個別に交換することができる、としている（以下、この技術を従来例２という）。
【特許文献１】特開２００４−２３６４７３号公報
【発明の概要】
【発明が解決しようとする課題】
【０００９】
従来例１では、端子Ｔ５（＋），Ｔ５（−）に負荷と充電器を接続していたので、例えばバッテリ５０ａに充電器で充電している時に、バッテリ５０ｂを増設して並列に接続した場合、バッテリ５０ａの電流開閉部５１が導通状態になっているため、バッテリ５０ｂからバッテリ５０ａに大電流の逆流が流れ込んでしまい、バッテリの損傷を招くおそれがあるという課題があった。
【００１０】
また、充電中にバッテリ５０の増設作業を行うことができないため、バッテリ５０の設置作業の効率が悪くなるという課題があった。
【００１１】
従来例２では、負荷に印加されている電圧の状態を判定する負荷状態判定手段によって、回路の導通又は遮断をスイッチ素子で切り換えているので、システムの構成が複雑になるという課題があった。
【００１２】
また、各バッテリへの充電時の課題については何ら開示されておらず、それを示唆する記載もない。
【００１３】
本発明は、上記課題を解決するためになされたものであり、構成が簡単であり、バッテリを損傷させることなく、安定かつ用途に応じた長時間の電力供給を行うことができ、バッテリ設置作業の効率化を図ることができる電力供給システムを提供することを目的とする。
【課題を解決するための手段】
【００１４】
本発明の第１の電力供給システムは、負荷が接続される一対の第１の端子と、前記第１の端子に並列に接続される複数のバッテリと、前記バッテリを充電する充電器とを有する電力供給システムにおいて、
前記バッテリの入力側及び出力側の回路には、前記充電器を接続するための充電専用の一対の第２の端子が設けられ、
他方の前記バッテリから一方の前記バッテリへの電流の流れ込みを防止する電流流れ込み防止手段が設けられている、
ことを特徴とするものである。
【００１５】
本発明の第２の電力供給システムは、負荷が接続される一対の第１の端子と、前記第１の端子に並列に接続される複数のバッテリと、前記バッテリを充電する充電器とを有する電力供給システムにおいて、
前記バッテリの入力側及び出力側の回路には、前記充電器を接続するための充電専用の一対の第２の端子が設けられ、
前記第１の端子と前記第２の端子とを接続する回路には、他方の前記バッテリから一方の前記バッテリへの電流の流れ込みを防止する第１の電流流れ込み防止手段が設けられている、
ことを特徴とするものである。
【００１６】
本発明の第３の電力供給システムは、負荷が接続される一対の第１の端子と、前記第１の端子に並列に接続される複数のバッテリと、前記バッテリを充電する充電器とを有する電力供給システムにおいて、
前記バッテリの入力側及び出力側の回路には、前記充電器を接続するための充電専用の一対の第２の端子が設けられ、
前記第２の端子及び前記充電器とを接続する回路には、他方の前記バッテリから一方の前記バッテリへの電流の流れ込みを防止する第２の電流流れ込み防止手段が設けられている、
ことを特徴とするものである。
【００１７】
本発明の第４の電力供給システムは、負荷が接続される一対の第１の端子と、前記第１の端子に並列に接続される複数のバッテリと、前記バッテリを充電する充電器とを有する電力供給システムにおいて、
前記バッテリの入力側及び出力側の回路には、前記充電器を接続するための充電専用の一対の第２の端子が設けられ、
前記第１の端子と前記第２の端子とを接続する回路には、他方の前記バッテリから一方の前記バッテリへの電流の流れ込みを防止する第１の電流流れ込み防止手段が設けられ、
前記第２の端子及び前記充電器とを接続する回路には、他方の前記バッテリから一方の前記バッテリへの電流の流れ込みを防止する第２の電流流れ込み防止手段が設けられている、
ことを特徴とするものである。
【００１８】
前記充電器は前記各バッテリ毎に設けられていてもよい。
【００１９】
前記充電器は複数の前記バッテリを共通で充電する共通充電器であってもよい。
【発明の効果】
【００２０】
本発明の電力供給システムによれば、次のような優れた効果を奏する。
【００２１】
（１）複数のバッテリを並列接続しても、負荷に印加されている電圧の状態を判定する手段を設ける必要がなく、構成が簡単であるため、安価なシステムを提供できる。
【００２２】
（２）他方のバッテリから一方のバッテリに大電流の逆流が流れ込むことを防止できるので、バッテリを損傷させることなく、安定かつ用途に応じた長時間の電力供給を行うことが可能となる。
【００２３】
（３）充電中にバッテリの増設が可能であるので、バッテリ設置作業の効率化を図ることができる。
【図面の簡単な説明】
【００２４】
【図１】本発明の第１の実施形態例に係る電力供給システムを示すブロック図である。
【図２】（Ａ）はバッテリユニットを並列に接続した状態を示す正面図、（Ｂ）は各バッテリユニットを示す側面図、（Ｃ）は各バッテリユニットを示す背面図、（Ｄ）は表示部の表示例を示す説明図である。
【図３】本発明の第２の実施形態例に係る電力供給システムを示すブロック図である。
【図４】従来の電力供給システムの一例を示すブロック図である。
【発明を実施するための最良の形態】
【００２５】
以下、本発明の実施の形態について図面を参照して説明する。図１は本発明の第１の実施形態例に係る電力供給システムを示すブロック図である。
【００２６】
図１に示すように、本発明の第１の実施形態例に係る電力供給システムＳ１は、負荷１が接続される一対の第１の端子Ｔ１（＋），Ｔ１（−）と、第１の端子Ｔ１（＋），Ｔ１（−）に並列に接続される複数のバッテリ２と、バッテリ２を充電する充電器３と、各バッテリ２に流れる電流を検出する電流検出部４と、各バッテリ２のセル電圧や温度等を監視し、放電及び充電の制御を行う制御部５と、電流検出部４によって検出された電流値に基づいてショート状態を検出するショート検出部６とを有する。７は各バッテリ２の内部抵抗である。
【００２７】
バッテリ２は例えばリチウムイオン電池であり、複数のセル２ａを電気的に接続して構成されている。なお、バッテリ２はリチウムイオン電池以外の電池についても適用可能である。
【００２８】
各バッテリ２の入力側及び出力側の回路には、充電器３を接続するための充電専用の一対の第２の端子Ｔ２（＋），Ｔ２（−）が設けられている。
【００２９】
並列の複数のバッテリ２からの回路を共通に接続する一対の第３の端子Ｔ３（＋），Ｔ３（−）が設けられ、第３の端子Ｔ３（＋）は第１の端子Ｔ１（＋）に、第３の端子Ｔ３（−）は第１の端子Ｔ１（−）にそれぞれ接続されている。
【００３０】
また、第２の端子Ｔ２（＋）は第３の端子Ｔ３（＋）に、第２の端子Ｔ２（−）は第３の端子Ｔ３（−）にそれぞれ接続されている。
【００３１】
第２の端子Ｔ２（−）と第３の端子Ｔ３（−）とを接続する回路には、バッテリ２の放電方向と逆方向に電流が流れるのを防止する第１の逆流防止部８と、バッテリ２への放電方向に流れる電流の導通又は遮断を切り換える第１の電流開閉部９とが設けられている。
【００３２】
第１の逆流防止部８は、制御部５からの放電指示信号が入力される第１のＦＥＴで構成され、第３の端子Ｔ３（−）と第２の端子Ｔ２（−）との回路間の電圧を比較する第１の電圧比較部１０（コンパレータ）の結果に基づいて、第３の端子Ｔ３（−）側の電圧が高ければ、放電方向に流れる電流を導通（許可）し、第２の端子Ｔ２（−）側の電圧が高ければ、逆流を阻止する。
【００３３】
第１の電流開閉部９は、制御部５からの放電指示信号やショート検出部６からのショート検出信号が入力される第２のＦＥＴで構成され、その放電指示信号やショート検出信号に基づいて、電流の導通又は遮断を切り換えるスイッチ機能を有する。
【００３４】
第２の端子Ｔ２（−）と充電器３とを接続する回路には、充電器３の充電方向と逆方向に電流が流れるのを防止する第２の逆流防止部１１と、充電器３の充電方向に流れる電流の導通又は遮断を切り換える第２の電流開閉部１２とが設けられている。
【００３５】
第２の逆流防止部１１は、制御部５からの充電指示信号が入力される第２のＦＥＴで構成され、第２の端子Ｔ２（−）と充電器３との回路間の電圧を比較する第２の電圧比較部１３（コンパレータ）の結果に基づいて、第２の端子Ｔ２（−）側の電圧が高ければ、充電方向に流れる電流を導通（許可）し、充電器３側の電圧が高ければ、逆流を阻止する。
【００３６】
第２の電流開閉部１２は、制御部５からの充電指示信号やショート検出部６からのショート検出信号が入力される第２のＦＥＴで構成され、その充電指示信号やショート検出信号に基づいて、電流の導通又は遮断を切り換えるスイッチ機能を有する。
【００３７】
また、制御部５は液晶ディスプレイ（ＬＣＤ）等の表示部１４やＲＳ−２３２Ｃ等の通信部１５を制御する。通信部１５は、インターネットやＬＡＮ（Local Area Network)等の通信ネットワークを介して離れた場所にある情報端末等に接続され、各種情報を通信ネットワークを介して送受信することが可能である。
【００３８】
図２（Ａ）はバッテリユニットを並列に接続した状態を示す正面図、（Ｂ）は各バッテリユニットを示す側面図、（Ｃ）は各バッテリユニットを示す背面図、（Ｄ）は表示部の表示例を示す説明図である。
【００３９】
本発明の第１の実施形態例に係る電力供給システムＳ１では、図２（Ａ）に示すように、箱状の本体１６内にバッテリ２、充電器３及び上述した回路を実現する回路基板等を備えた複数のバッテリユニット１７同士をバスバー１８によって並列に接続することにより構成されている。
【００４０】
各バッテリユニット１７の本体１６の側面上部にはバスバー１８を取り付けるために挿入される開口部１６ａが形成されている（図２（Ｂ）参照）。
【００４１】
本体１６の背面には電源スイッチ１６ｂやコンセント１６ｃが設けられ、コンセント１６ｃとＡＣ電源とを電源コード１６ｄを介して接続することにより、充電器３を作動させることができる（図２（Ｂ）及び（Ｃ）参照）。
【００４２】
また、各バッテリユニット１７の本体１６の上面には例えば、温度、バッテリ２の残容量、充電・放電のサイクル回数、使用可能時間、バッテリ２のセル温度、セル電圧、最高電圧、最低電圧等の各種情報を液晶パネル上に表示するための表示部１４が設けられている（図２（Ｄ）参照）。なお、１４ａは表示を切り換えるための切換スイッチである。
【００４３】
本体１６の下部には複数（図面では４つ）のキャスタ１９が設けられており、取っ手（図示せず）を用いて移動することができる。
【００４４】
次に、本発明の第１の実施形態例に係る電力供給システムＳ１の動作を説明する。
【００４５】
各種電気機器や電動機等の負荷１に電力を供給する場合には、負荷１を第１の端子Ｔ１（＋），Ｔ１（−）に接続し、バッテリユニット１７同士をバスバー１８で接続することにより、複数のバッテリ２を並列接続する。
【００４６】
バッテリ２を充電する場合には、バッテリユニット１７をＡＣ電源に電源コード１６ｄを介して接続する。
【００４７】
図１において、充電器３から第２の端子Ｔ２（＋）に流れる定電流Ｉｉとし、第２の端子Ｔ２（＋）から負荷１に流れる電流Ｉｏとすると、差分電流（Ｉｏ−Ｉｉ）Ｉｂ＜０の場合にバッテリ２から放電され、Ｉｂ＞０の場合にバッテリ２に充電される。
【００４８】
並列に接続された複数のバッテリ２の残容量が同じ（端子電圧が同じ）場合には、複数のバッテリ２から同時に放電され、複数のバッテリ２に同時に充電される。
【００４９】
特性劣化等により並列に接続された複数のバッテリ２の残容量が異なる場合、放電時には、バッテリ２の残容量が大きいバッテリ２から放電され、小さいバッテリ２と同電圧になった時、当該２つのバッテリ２から同時に放電される。充電時には、バッテリ２の残容量が小さいバッテリ２に充電され、大きいバッテリ２と同電圧になった時、当該２つのバッテリ２に同時に充電される。
【００５０】
また、一方のバッテリ２が充電中に、他方のバッテリ２を増設した場合でも、一方のバッテリ２側に設けられた第１の逆流防止部８によって、第３の端子Ｔ３（＋），Ｔ３（−）を介して他方のバッテリ２から一方のバッテリ２に流れ込む大電流の逆流を防止できる。
【００５１】
本発明の第１の実施形態例に係る電力供給システムＳ１によれば、複数のバッテリ２を並列接続しても、負荷１に印加されている電圧の状態を判定する手段を設ける必要がなく、構成が簡単であるため、安価なシステムを提供できる。
【００５２】
また、他方のバッテリ２から一方のバッテリ２に大電流の逆流が流れ込むことを防止できるので、バッテリ２を損傷させることなく、安定かつ用途に応じた長時間の電力供給を行うことが可能となる。
【００５３】
さらに、充電中にバッテリ２の増設が可能であるので、バッテリ設置作業の効率化を図ることができる。
【００５４】
図３は本発明の第２の実施形態例に係る電力供給システムを示すブロック図である。
【００５５】
図３に示すように、本発明の第２の実施形態例に係る電力供給システムＳ２は、負荷１が接続される一対の第１の端子Ｔ１（＋），Ｔ１（−）と、第１の端子Ｔ１（＋），Ｔ１（−）に並列に接続される複数のバッテリ２と、複数のバッテリ２を共通で充電する共通充電器２０と、各バッテリ２に流れる電流を検出する電流検出部４と、各バッテリ２のセル電圧や温度等を監視し、放電及び充電の制御を行う制御部５と、電流検出部４によって検出された電流値に基づいてショート状態を検出するショート検出部６とを有する。７は各バッテリ２の内部抵抗である。
【００５６】
各バッテリ２の入力側及び出力側の回路には、充電専用の一対の第２の端子Ｔ２（＋），Ｔ２（−）が設けられている。
【００５７】
並列の複数のバッテリ２からの回路を共通に接続する一対の第３の端子Ｔ３（＋），Ｔ３（−）が設けられ、第３の端子Ｔ３（＋）は第２の端子Ｔ２（＋）に、第３の端子Ｔ３（−）は第１の端子Ｔ１（−）にそれぞれ接続されている。
【００５８】
第２の端子Ｔ２（−）と共通充電器２０の入力側との間の回路には、第２の端子Ｔ２（−）からの並列の回路を共通に接続する第４の端子Ｔ４が設けられている。
【００５９】
共通充電器２０の出力側は第２の端子Ｔ２（＋）に接続され、その第２の端子Ｔ２（＋）は第１の端子Ｔ１（＋）に接続されている。
【００６０】
第２の端子Ｔ２（−）と第３の端子Ｔ３（−）とを接続する回路には、バッテリ２の放電方向と逆方向に電流が流れるのを防止する第１の逆流防止部８と、バッテリ２への放電方向に流れる電流の導通又は遮断を切り換える第１の電流開閉部９とが設けられている。
【００６１】
第１の逆流防止部８は、制御部５からの放電指示信号が入力される第１のＦＥＴで構成され、第３の端子Ｔ３（−）と第２の端子Ｔ２（−）との回路間の電圧を比較する第１の電圧比較部１０（コンパレータ）の結果に基づいて、第３の端子Ｔ３（−）側の電圧が高ければ、放電方向に流れる電流を導通（許可）し、第２の端子Ｔ２（−）側の電圧が高ければ、逆流を阻止する。
【００６２】
第１の電流開閉部９は、制御部５からの放電指示信号やショート検出部６からのショート検出信号が入力される第２のＦＥＴで構成され、その放電指示信号やショート検出信号に基づいて、電流の導通又は遮断を切り換えるスイッチ機能を有する。
【００６３】
第２の端子Ｔ２（−）と第４の端子Ｔ４とを接続する回路には、共通充電器２０の充電方向と逆方向に電流が流れるのを防止する第２の逆流防止部１１と、充電器３の充電方向に流れる電流の導通又は遮断を切り換える第２の電流開閉部１２とが設けられている。
【００６４】
第２の逆流防止部１１は、制御部５からの充電指示信号が入力される第２のＦＥＴで構成され、第２の端子Ｔ２（−）と第４の端子Ｔ４との回路間の電圧を比較する第２の電圧比較部１３（コンパレータ）の結果に基づいて、第２の端子Ｔ２（−）側の電圧が高ければ、充電方向に流れる電流を導通（許可）し、第４の端子Ｔ４側の電圧が高ければ、逆流を阻止する。
【００６５】
第２の電流開閉部１２は、制御部５からの充電指示信号やショート検出部６からのショート検出信号が入力される第２のＦＥＴで構成され、ショート検出信号に基づいて、電流の導通又は遮断を切り換えるスイッチ機能を有する。
【００６６】
なお、他の構成については、第１の実施形態例に係る電力供給システムＳ１と同様であるので、その説明を省略する。
【００６７】
次に、本発明の第２の実施形態例に係る電力供給システムＳ２の動作を説明する。
【００６８】
図３において、共通充電器２０から第２の端子Ｔ２（＋）に流れる定電流Ｉｉとし、第２の端子Ｔ２（＋）から負荷１に流れる電流Ｉｏとすると、差分電流（Ｉｏ−Ｉｉ）Ｉｂ＜０の場合にバッテリ２から放電され、Ｉｂ＞０の場合にバッテリ２に充電される。
【００６９】
並列に接続された複数のバッテリ２の残容量が同じ（端子電圧が同じ）場合には、複数のバッテリ２から同時に放電され、複数のバッテリ２に同時に充電される。
【００７０】
特性劣化等により並列に接続された複数のバッテリ２の残容量が異なる場合、放電時には、バッテリ２の残容量が大きいバッテリ２から放電され、小さいバッテリ２と同電圧になった時、当該２つのバッテリ２から同時に放電される。充電時には、バッテリ２の残容量が小さいバッテリ２に充電され、大きいバッテリ２と同電圧になった時、当該２つのバッテリ２に同時に充電される。
【００７１】
また、一方のバッテリ２が充電中に、他方のバッテリ２を増設した場合でも、一方のバッテリ２側に設けられた第１の逆流防止部８によって、第３の端子Ｔ３（＋），Ｔ３（−）を介して他方のバッテリ２から一方のバッテリ２に流れ込む大電流の逆流を防止することができるとともに、第２の逆流防止部１１によって、第２の端子Ｔ２（−）、第３の端子Ｔ３（−）及び第４の端子Ｔ４を介して他方のバッテリ２から一方のバッテリ２に流れ込む大電流の逆流を防止できる。
【００７２】
本発明の第２の実施形態例に係る電力供給システムＳ２によれば、共通充電器２０を用いているので、充電器付きのバッテリ２ではないバッテリ２についても適用することができる。
【００７３】
本発明は、上記実施の形態に限定されることはなく、特許請求の範囲に記載された技術的事項の範囲内において、種々の変更が可能である。
【００７４】
例えば、第１の実施形態例に係る電力供給システムＳ１と第２の実施形態例に係る電力供給システムＳ２とを適宜組み合わせて構成してもよい。
【００７５】
また、第１の逆流防止部８及び第１の電流開閉部９はバッテリ２の出力（＋）側に配置してもよい。
【００７６】
なお、上述した端子Ｔは回路上の接続点を意味しており、実際の機器の端子（インターフェース）とは異なる場合もある。
【産業上の利用可能性】
【００７７】
本発明の電力供給システムは、複数のバッテリを並列接続して各種電気機器や電動機等の負荷に電力を供給するために用いられる。
【符号の説明】
【００７８】
Ｓ１、Ｓ２：電力供給システム
Ｔ１：第１の端子
Ｔ２：第２の端子
Ｔ３：第３の端子
Ｔ４：第４の端子
１：負荷
２：バッテリ
２ａ：セル
３：充電器
４：電流検出部
５：制御部
６：ショート検出部
７：内部抵抗
８：第１の逆流防止部
９：第１の電流開閉部
１０：第１の電圧比較部
１１：第２の逆流防止部
１２：第２の電流開閉部
１３：第２の電圧比較部
１４：表示部
１５：通信部
１６：本体
１７：バッテリユニット
１８：バスバー
１９：キャスタ
２０：共通充電器
【図１】
0005781456.tif 000002
【図２】
0005781456.tif 000003
【図３】
0005781456.tif 000004
【図４】
0005781456.tif 000005